(57)【要約】【課題】水位を容易に確認することができ、見栄えも向上することができるタンクを提供する。【解決手段】リブ３０が形成された側面１１ｃ、１１ｄと、側面１１ｃ、１１ｄに隣接する前面１１ａと、を備えるタンク本体１１と、液体の収容量の規制水位を示し、前面１１ａにおいてリブ３０と同じ高さに形成された水位表示部２０と、を備え、水位表示部２０は、リブにより形成されている。【選択図】図１
2018140808.tif 000002
【特許請求の範囲】
【請求項１】
リブが形成された第１の側面と、該第１の側面に隣接する第２の側面とを備えるタンク本体と、
液体の収容量の規制水位を示し、前記第２の側面において前記リブと同じ高さに形成された水位表示部と、を備え、
前記水位表示部は、リブにより形成されていることを特徴とするタンク。
【請求項２】
前記第１の側面に形成されたリブと、前記水位表示部を形成しているリブとは連続していることを特徴とする請求項１に記載のタンク。
【請求項３】
前記第１の側面に形成されたリブは、第１のリブと第２のリブとを含み、
前記水位表示部は、前記第１のリブと同じ高さであって、前記液体の下限水位を示す高さに形成された第３のリブと、前記第２のリブと同じ高さであって、前記液体の上限水位を示す高さに形成された第４のリブと、を含むことを特徴とする請求項１に記載のタンク。
【請求項４】
前記第１の側面において前記第４のリブより上方に形成された第５のリブを、さらに有する請求項３に記載のタンク。
【請求項５】
前記第５のリブは、前記第３のリブと前記第４のリブとの間の距離だけ前記第４のリブより上方に設けられている請求項４に記載のタンク。
【発明の詳細な説明】
【技術分野】
【０００１】
本発明は、液体を収容するタンクに関する。
【背景技術】
【０００２】
一般に、車両には、エンジンの冷却水を収容するリザーブタンクが搭載されている（例えば特許文献１を参照）。
【０００３】
特許文献１に記載のリザーブタンクは、冷却水の水位を確認するための水位確認用表示部を、リザーブタンクの前面に備えている。また、同リザーブタンクは、補強リブを側面に備えており、この補強リブは、水位確認用表示部の高さに設けられている。
【先行技術文献】
【特許文献】
【０００４】
【特許文献１】特許第３１４６５２５号公報
【発明の概要】
【発明が解決しようとする課題】
【０００５】
しかしながら、特許文献１に記載のリザーブタンクでは、補強リブと水位確認用表示部との対応関係が分かりにくいという問題があった。
【０００６】
具体的には、特許文献１に記載のリザーブタンクの側面をその側面に垂直な方向から見た場合、前面の水位確認用表示部が見えないため、補強リブが水位確認用表示部の高さに設けられていることを知らない者、または、そのことを忘れた者は、その対応関係をすぐには把握できないという問題があった。
【０００７】
また、仮にタンクの同一面上に補強リブと水位確認用表示部とを別々に設けたとすると、意匠的な見栄えが損なわれる虞があった。
【０００８】
本発明は、以上のような従来の技術が有する問題点に着目してなされたものであり、水位を容易に確認することができ、見栄えも向上することができるタンクを提供することを目的としている。
【課題を解決するための手段】
【０００９】
本発明に係るタンクは、リブが形成された第１の側面と、第１の側面に隣接する第２の側面とを備えるタンク本体と、液体の収容量の規制水位を示し、第２の側面において上記リブと同じ高さに形成された水位表示部と、を備え、水位表示部は、リブにより形成されている。
【発明の効果】
【００１０】
本発明に係るタンクによれば、水位を容易に確認することができ、見栄えも向上することができる。
【図面の簡単な説明】
【００１１】
【図１】本発明の一実施形態に係るタンクを示す正面図である。
【図２】本発明の一実施形態に係るタンクを示す側面図である。
【図３】本発明の一実施形態に係るタンクを示す平面図である。
【発明を実施するための形態】
【００１２】
以下、本発明の一実施の形態に係るタンクについて、図面に基づき説明する。
【００１３】
本実施の形態では、タンクが車両用のリザーブタンク１０である場合を例に挙げて説明する。リザーブタンク１０は、ラジエータからオーバーフローする冷却水（液体）を収容するタンクである。ラジエータは、一般にエンジンの冷却水を通過させ、通風により熱交換を行い、冷却水を冷却する熱交換器である。リザーブタンク１０は、図示を省略したが、エンジンルーム内でラジエータに付設される。
【００１４】
図１〜図３に示すように、リザーブタンク１０は、冷却液を収容するタンク本体１１と、タンク本体１１の外壁のうち前面１１ａに形成され、冷却液の収容量の規制水位を示す水位表示部２０と、を有している。
【００１５】
水位表示部２０を含めてタンク本体１１は、例えば、樹脂材料によって成形される。ここで、樹脂材料は、タンク本体１１の外壁を通して内部の冷却液を視認できるように、透明ないし半透明のものが用いられる。
【００１６】
タンク本体１１は、前後方向に長い略直方体形状に成形されている。タンク本体１１の外壁のうち前面１１ａの上部には、斜め上方に突出した冷却水の注入口部１２が設けられている。注入口部１２の先端開口には、着脱可能なキャップ１３が取り付けられている。
【００１７】
また、タンク本体１１の外壁のうち後面１１ｂの下部には、斜め上方に突出した接続管部１４が設けられている。タンク本体１１は、接続管部１４に取り付けられたホースを介してラジエータと連通し、ラジエータとの間で冷却水の受け渡しを行う。
【００１８】
タンク本体１１の外壁のうち、水位表示部２０が配置された前面１１ａには、外壁の剛性を高める補強用のリブ３０が設けられている。リブ３０は、冷却液の下限水位を示す位置において水平方向へ延びる第１のリブ３１と、冷却液の上限水位を示す位置において水平方向へ延びる第２のリブ３２と、を有している。各リブ３１，３２は、それぞれ幅が細い直線状のリブであり、外壁面から突出して設けられている。
【００１９】
水位表示部２０は、上述したリブ３０によって形成されている。すなわち、水位表示部２０は、タンク本体１１の前面１１ａにおいて、第１のリブ３１が兼ねる第１の水位表示部２１と、第２のリブ３２が兼ねる第２の水位表示部２２と、を有する。
【００２０】
第１の水位表示部２１は、タンク本体１１における冷却液の下限水位を示す目印であり、第２の水位表示部２２は、タンク本体１１における冷却液の上限水位を示す目印である。ここで下限水位は、タンク本体１１の機能上、最低限必要な冷却液の収容量を示し、上限水位は、収容可能な冷却液の最大限の収容量を示す。
【００２１】
図１に示すように、第１の水位表示部２１は、第１のリブ３１に加えて、その上側に記された「ＭＡＸ」の文字表記を備え、第２の水位表示部２２は、第２のリブ３２に加えて、その上側に記された「ＭＩＮ」の文字表記を備えている。なお、各水位表示部２１，２２の一部として付記された文字表記の形態は、成形による凹凸の表記のみならず、印刷や刻印等、その種類は問わない。
【００２２】
また、各リブ３１，３２は、水位表示部２０を形成するタンク本体１１の前面１１ａだけでなく、本実施の形態では、タンク本体１１の外壁のうち前面１１ａに隣接する両側面１１ｃ，１１ｄにまで、同一の高さ位置で連続して延びている。さらに、タンク本体１１の両側面１１ｃ，１１ｄには、図２に示すように、第２のリブ３２より上方に、水平方向へ延びる第３のリブ３３も設けられている。
【００２３】
第３のリブ３３は、タンク本体１１の両側面１１ｃ，１１ｄにおいて、第１のリブ３１と第２のリブ３２との間の距離だけ第２のリブより上方に設けられている。すなわち、第１のリブ３１と第２のリブ３２、第２のリブ３２と第３のリブ３３は、それぞれ等間隔で平行に配されている。なお、第３のリブ３３も、各リブ３１，３３と同様に、幅が細い直線状のリブであり、外壁面から突出して設けられている。
【００２４】
また、タンク本体１１の両側面１１ｃ，１１ｄには、第１のリブ３１から第３のリブ３３まで縦方向に延び、第２のリブ３２と直交する複数のリブ３４が設けられている。さらに、タンク本体１１の前面１１ａにも、第１のリブ３１から第２のリブ３２にかけて縦方向に延び、さらに第２のリブ３２と直交してその上方にまで延びるリブ３５が設けられている。これらのリブ３３，３４も、各リブ３１，３２，３３と同様に、幅が細い直線状のリブであり、外壁面から突出して設けられている。
【００２５】
その他、タンク本体１１の外壁のうち上面１１ｅには、リザーブタンク１０を所定箇所に取り付けるための上ブラケット部４１が設けられている。また、底面１１ｆにも、リザーブタンク１０を所定箇所に取り付けるための下ブラケット部４２が設けられている。なお、上ブラケット部４１には、タンク本体１１からオーバーフローした冷却液を外部に排出するオーバーフロー管１５が一体に設けられている。
【００２６】
上述した本実施の形態に係るリザーブタンク１０によれば、タンク本体１１に冷却水を収容する場合、注入口部１２のキャップ１３を外して、注入口部１２から冷却水を注入する。タンク本体１１の前面１１ａには、水位表示部２０があるため、水位表示部２０と水位を比較しながら注水量を確認しつつ、容易に注水作業を行うことができる。
【００２７】
水位表示部２０は、タンク本体１１の前面１１ａに配置されたリブ３０により形成されている。すなわち、タンク本体１１の前面１１ａにおいて、冷却液の下限水位を示す第１の水位表示部２１は、当該位置で水平方向に延びる第１のリブ３１が兼ねており、冷却液の上限水位を示す第２の水位表示部２２は、当該位置で水平方向に延びる第２のリブ３２が兼ねている。
【００２８】
このように、タンク本体１１の前面１１ａにおいて、リブ３０がそのまま水位表示部２０を兼ねるため、前面１１ａに、リブ３０と水位表示部２０とを別々に設ける必要はなく、タンク本体１１の構成を簡略化することができる。よって、リザーブタンク１０のコストを低減することができる。
【００２９】
また、タンク本体１１の前面１１ａにおいて、水位表示部２０とリブ３０が別々の線として混在し見難くなることもない。よって、リザーブタンク１０の外観に関する意匠的見栄えが低下することも防止することができる。
【００３０】
さらに、第１の水位表示部２１、および、第２の水位表示部２２は、リブ３１、３２が形成された側面１１ｃ、１１ｄに隣接するタンク本体１１の前面１１ａにおいて、側面１１ｃ、１１ｄに形成されたリブ３１、３２と同じ高さにリブによって形成されている。
【００３１】
そのため、リザーブタンク１０の側面１１ｃ、１１ｄをその側面１１ｃ、１１ｄに垂直な方向から見た場合、前面１１ａに形成された第１の水位表示部２１、および、第２の水位表示部２２を兼ねるリブ３１、３２を見ることができるため、側面１１ｃ、１１ｄに形成されたリブ３１、３２の高さが第１の水位表示部２１、および、第２の水位表示部２２の高さに対応することを容易に把握することができる。
【００３２】
これにより、タンク本体１１の前面１１ａが見えにくい場合であっても、側面１１ｃ，１１ｄを視認することにより水位が適切であるか否かを容易に確認することができる。また、タンク本体１１の配置に関する制約も少なくなり、レイアウトの自由度を高めることができる。
【００３３】
さらに、タンク本体１１の両側面１１ｃ，１１ｄ上には、第２のリブ３２より上方において水平方向へ延びる第３のリブ３３も設けられており、タンク本体１１の外壁の剛性をいっそう高めることができる。
【００３４】
ここで第３のリブ３３は、タンク本体１１の両側面１１ｃ，１１ｄにおいて、第１のリブ３１と第２のリブ３２との間の距離だけ、第２のリブより上方に設けられている。これにより、各リブ３１〜３３は、高さ方向に等しい間隔でバランス良く配置され、意匠的な見栄え を良くすることができる
【００３５】
以上、本発明の実施の形態を説明してきたが、具体的な構成は前述した実施の形態に限られるものではなく、本発明の要旨を逸脱しない範囲における変更や追加があっても本発明に含まれる。
【００３６】
例えば、上述した実施の形態では、タンクがエンジンの冷却水を収容するリザーブタンク１０であることとしたが、その他、排気後処理装置に設けられる尿素水タンク等、他の液体を収容するものであっても良い。
【００３７】
また、水位表示部２０に含まれる文字表記は、図示した「ＭＡＸ」や「ＭＩＮ」に限られることなく、例えば、「ＦＵＬＬ」や「ＬＯＷ」等の同意義の文字に置き換えても良く、あるいは省略しても構わない。
【００３８】
さらに、水位表示部２０の構成は、２つの水位表示部２１，２２を有するものに限定されることはなく、何れか一方のみを有する構成としたり、上限水位と下限水位の間に１つ以上の水位表示部をさらに追加した構成としてもよい。
【産業上の利用可能性】
【００３９】
本発明に係るタンクは、エンジンの冷却水を収容するリザーブタンクに好適であるが、それ以外に用いられる各種のタンクにも広く適用可能である。
【符号の説明】
【００４０】
１０  リザーブタンク
１１  タンク本体
１１ａ  前面
１２  注入口部
１３  キャップ
１４  接続管部
１５  オーバーフロー管
２０  水位表示部
２１  第１の水位表示部
２２  第２の水位表示部
３０  リブ
３１  第１のリブ
３２  第２のリブ
３３  第３のリブ
【図１】
2018140808.tif 000003
【図２】
2018140808.tif 000004
【図３】
2018140808.tif 000005